(57)【要約】【課題】軸方向の磁気特性に優れたアキシャルギャップ型回転電機用ロータの圧粉コアを提供すること。【解決手段】矩形の磁極面に対して垂直な方向にプレス成形して得た圧粉ブロックを、磁極面と直交し、かつ、磁極面の側辺と斜交する分割面で分割することによって、直角台形または直角三角形の磁極面１２０、１３０をそれぞれ有する二つのコア片１２、１３を形成し、これらコア片１２、１３を、円周方向の幅Ｗが前記回転軸側（Ｗ１）よりも外周側（Ｗ２）で大きくなるように並べることによって圧粉コア２０を構成した。【選択図】図１
2011066977.tif 000002
【特許請求の範囲】
【請求項１】
回転軸を中心に回転するアキシャルギャップ型回転電機用ロータの永久磁石の磁極面に設けられる圧粉コアであって、
前記圧粉コアは、直角台形または直角三角形の磁極面を有する二つのコア片を、円周方向の幅が前記回転軸側よりも外周側で大きくなるように並べて構成され、
前記二つのコア片は、矩形の磁極面を有し該磁極面に対し垂直な方向にプレス成形された圧粉ブロックを、該磁極面と直交し、かつ、該磁極面の側辺と斜交する分割面で分割して形成されていることを特徴としたアキシャルギャップ型回転電機用ロータの圧粉コア。
【請求項２】
前記コア片の間に、矩形の磁極面を有し該磁極面に対し垂直な方向にプレス成形された内側コア片が配置されている請求項１に記載のアキシャルギャップ型回転電機用ロータの圧粉コア。
【請求項３】
回転軸を中心に回転するアキシャルギャップ型回転電機用ロータの永久磁石の磁極面に設けられる圧粉コアであって、
前記圧粉コアは、直角台形または直角三角形の磁極面を有する二つのコア片と、該二つのコア片の間に配される台形の磁極面を有する一つの内側コア片とを、円周方向の幅が前記回転軸側よりも外周側で大きくなるように並べて構成され、
前記二つのコア片及び前記一つの内側コア片は、矩形の磁極面を有し該磁極面に対し垂直な方向にプレス成形された圧粉ブロックを、該磁極面と直交し、かつ、該磁極面の側辺と斜交する二つの分割面で分割して形成されていることを特徴としたアキシャルギャップ型回転電機用ロータの圧粉コア。
【請求項４】
回転軸を中心に回転するアキシャルギャップ型回転電機用ロータの永久磁石の磁極面に設けられる圧粉コアであって、
前記圧粉コアは、直角台形または直角三角形の磁極面を有する二つのコア片と、該二つのコア片の間に配される直角台形または直角三角形の磁極面を有する二つの内側コア片とを、円周方向の幅が前記回転軸側よりも外周側で大きくなるように並べて構成され、
前記二つのコア片は、矩形の磁極面を有し該磁極面に対し垂直な方向にプレス成形された一の圧粉ブロックを、該磁極面と直交し、かつ、該磁極面の側辺と斜交する分割面で分割して形成され、
前記二つの内側コア片は、矩形の磁極面を有し該磁極面に対し垂直な方向にプレス成形された他の圧粉ブロックを、該磁極面と直交し、かつ、該磁極面の側辺と斜交する分割面で分割して形成されていることを特徴としたアキシャルギャップ型回転電機用ロータの圧粉コア。
【請求項５】
前記複数のコア片が前記分割面を磁極中心側に向けて並べられている請求項１〜請求項４のいずれか一つに記載のアキシャルギャップ型回転電機用ロータの圧粉コア。
【請求項６】
前記コア片と前記内側コア片との磁極面における対向辺の長さが略同じである請求項２〜請求項４のいずれか一つに記載のアキシャルギャップ型回転電機用ロータの圧粉コア。
【請求項７】
前記コア片のプレス圧縮方向が前記ロータの径方向に沿っている請求項１〜請求項６のいずれか一つに記載のアキシャルギャップ型回転電機用ロータの圧粉コア。
【請求項８】
前記ロータの回転方向前進側のコア片の構成粒子が、回転方向後進側のコア片の構成粒子よりも大きい請求項１〜請求項７のいずれか一つに記載のアキシャルギャップ型回転電機用ロータの圧粉コア。
【発明の詳細な説明】
【技術分野】
【０００１】
本発明は、アキシャルギャップ型回転電機用ロータの永久磁石の磁極面に設けられる圧粉コアに関する。
【背景技術】
【０００２】
アキシャルギャップ型回転電機は、回転軸を中心として回転可能に配設されたロータと、このロータの回転軸方向にギャップを隔てて配設されたステータとを備える回転電機である。アキシャルギャップ型回転電機は、その構造から薄型化できる点や磁極面積を大きくしてトルク密度を向上できる点で他の構造の回転電機より好ましい。
【０００３】
下記の特許文献１には、アキシャルギャップ型回転電機のロータコアとして、磁極面が扇形を成す圧粉磁心が開示されている。磁極面を扇形にすることで、複数のロータコアを円形に配列した際のコア同士の間のスペースを小さくすることができ、回転電機の効率を向上させることができる。
【先行技術文献】
【特許文献】
【０００４】
【特許文献１】特開２００８−２７８６４９号公報
【発明の概要】
【発明が解決しようとする課題】
【０００５】
ところで、アキシャルギャップ型回転電機のロータコアは、その軸方向に主に磁束が流れるため、軸方向の磁気特性が優れていることが望ましい。
【０００６】
しかしながら、従来の扇形の磁極面を有する圧粉ロータコアは、図１３に示すように、扇形の磁極面１０１を形成するために、磁極面１０１に対し垂直な方向にプレス（Ｐ）して成形する必要があり、その結果、圧粉ロータコア１００のプレス圧縮方向Ｃが軸方向に沿うことになり、圧粉ロータコア１００の軸方向の磁気特性が低下する難点があった。つまり、磁極面１０１に加わるプレス圧によって、圧粉コアを構成する、軟磁性粉、絶縁皮膜、バインダ等が軸方向に潰れ、その結果、軸方向の磁束密度、透磁率、鉄損等の磁気特性が低下することになった。
【０００７】
なお、図１３に示す圧粉ロータコア１００の磁極面１０１と直交する複数の側面１０２に図示する小楕円Ｇは、プレス圧力により潰れた軟磁性粉等の構成粒子を模式的に表したものである。本願の他の図面においても同様である。
【０００８】
本発明は、従来のアキシャルギャップ型回転電機用ロータの圧粉コアに上記のような難点があったことに鑑みて為されたもので、軸方向の磁気特性に優れたアキシャルギャップ型回転電機用ロータの圧粉コアを提供することを目的とする。
【課題を解決するための手段】
【０００９】
本発明は、回転軸を中心に回転するアキシャルギャップ型回転電機用ロータの永久磁石の磁極面に設けられる圧粉コアであって、
前記圧粉コアは、直角台形または直角三角形の磁極面を有する二つのコア片を、円周方向の幅が前記回転軸側よりも外周側で大きくなるように並べて構成され、前記二つのコア片は、矩形の磁極面を有し該磁極面に対し垂直な方向にプレス成形された圧粉ブロックを、該磁極面と直交し、かつ、該磁極面の側辺と斜交する分割面で分割して形成されていることを特徴としている。
【００１０】
なお、本願において、直角台形とは、隣り合う二つの直角の内角を有する台形をいう。また、矩形とは長方形または正方形をいう。ただし、角部の微小な面取りや丸めは任意である。
【００１１】
また、本発明は、前記コア片の間に、矩形の磁極面を有し該磁極面に対し垂直な方向にプレス成形された内側コア片が配置されていることを特徴としている。
【００１２】
また、本発明は、回転軸を中心に回転するアキシャルギャップ型回転電機用ロータの永久磁石の磁極面に設けられる圧粉コアであって、
前記圧粉コアは、直角台形または直角三角形の磁極面を有する二つのコア片と、該二つのコア片の間に配される台形の磁極面を有する一つの内側コア片とを、円周方向の幅が前記回転軸側よりも外周側で大きくなるように並べて構成され、前記二つのコア片及び前記一つの内側コア片は、矩形の磁極面を有し該磁極面に対し垂直な方向にプレス成形された圧粉ブロックを、該磁極面と直交し、かつ、該磁極面の側辺と斜交する二つの分割面で分割して形成されていることを特徴としている。
【００１３】
また、本発明は、回転軸を中心に回転するアキシャルギャップ型回転電機用ロータの永久磁石の磁極面に設けられる圧粉コアであって、
前記圧粉コアは、直角台形または直角三角形の磁極面を有する二つのコア片と、該二つのコア片の間に配される直角台形または直角三角形の磁極面を有する二つの内側コア片とを、円周方向の幅が前記回転軸側よりも外周側で大きくなるように並べて構成され、前記二つのコア片は、矩形の磁極面を有し該磁極面に対し垂直な方向にプレス成形された一の圧粉ブロックを、該磁極面と直交し、かつ、該磁極面の側辺と斜交する分割面で分割して形成され、前記二つの内側コア片は、矩形の磁極面を有し該磁極面に対し垂直な方向にプレス成形された他の圧粉ブロックを、該磁極面と直交し、かつ、該磁極面の側辺と斜交する分割面で分割して形成されていることを特徴としている。
【００１４】
また、本発明は、前記複数のコア片が前記分割面を磁極中心側に向けて並べられていることを特徴としている。
【００１５】
また、本発明は、前記コア片と前記内側コア片との磁極面における対向辺の長さが略同じであることを特徴としている。
【００１６】
また、本発明は、前記コア片のプレス圧縮方向が前記ロータの略径方向に沿っていることを特徴としている。
【００１７】
また、本発明は、前記ロータの回転方向前進側のコア片の構成粒子が、回転方向後進側のコア片の構成粒子よりも大きいことを特徴としている。
【発明の効果】
【００１８】
本発明に係るアキシャルギャップ型回転電機用ロータの圧粉コアは、矩形の磁極面に垂直な方向からプレス成形された圧粉ブロックをその磁極面で斜めに分割して得た複数のコア片を組み合わせて構成されているので、各コア片のプレス圧縮方向をロータの径方向、或いは周方向に沿わせることができる。したがって、プレス圧力により潰れた軟磁性粉等の圧粉コアの構成粒子の長手方向が圧粉コアの軸方向に沿うことになり、軸方向の磁気特性に優れた圧粉コアを提供することができる。
【図面の簡単な説明】
【００１９】
【図１】本実施形態の圧粉コアを説明する図であり、（ａ）は圧粉コアの全体斜視図、（ｂ）は圧粉コアの平面図である。
【図２】本実施形態の圧粉コアの製造に用いる圧粉ブロックの斜視図である。
【図３】本実施形態の圧粉コアの製造工程の分割工程を説明する図であり、（ａ）は圧粉ブロックの平面図、（ｂ）は分割して得られたコア片の斜視図である。
【図４】本実施形態の圧粉コアを用いたロータの分解斜視図である。
【図５】本実施形態の圧粉コアを用いたアキシャルギャップ型回転電機の概略断面図である。
【図６】実施変形例の圧粉コアを説明する図であり、（ａ）は圧粉コアの全体斜視図、（ｂ）は圧粉コアの平面図である。
【図７】実施変形例の圧粉コアの製造に用いる圧粉ブロックの斜視図である。
【図８】本実施形態の圧粉コアの製造工程の分割工程を説明する図であり、（ａ）は圧粉ブロックの平面図、（ｂ）は分割して得られたコア片の斜視図である。
【図９】他の実施変形例の圧粉コアを説明する図であり、（ａ）は圧粉コアの全体平面図、（ｂ）は圧粉コアの製造に用いる圧粉ブロックの平面図である。
【図１０】更に他の実施変形例の圧粉コアを説明する図であり、（ａ）は圧粉コアの全体平面図、（ｂ）は圧粉コアの製造に用いる圧粉ブロックの平面図である。
【図１１】更に他の実施変形例の圧粉コアを説明する図であり、（ａ）は圧粉コアの全体平面図、（ｂ）は圧粉コアの製造に用いる圧粉ブロックの平面図である。
【図１２】更に他の実施変形例の圧粉コアを説明する図であり、（ａ）は圧粉コアの全体平面図、（ｂ）は圧粉コアの製造に用いる圧粉ブロックの平面図である。
【図１３】従来の扇形の磁極面を有する圧粉コアを説明する斜視図である。
【発明を実施するための形態】
【００２０】
本発明は、アキシャルギャップ型回転電機に用いるロータの圧粉コアに関するものである。図５の概略断面図に示すように、アキシャルギャップ型回転電機１０は、回転軸１（回転軸心Ａ）を中心として回転可能に配設されたロータ２と、このロータ２の軸方向の両側に所定のギャップを隔てて配設された第一ステータ３及び第二ステータ４とを備えている。
【００２１】
第一ステータ３は、バックヨーク３ａと、バックヨーク３ａに固定された複数のステータコア３ｂと、各ステータコア３ｂに巻回されたコイル３ｃとから構成されており、第二ステータ４はバックヨーク４ａから構成されている。これら第一ステータ３及び第二ステータ４は、不図示のケーシングに固定され、このケーシングを回転軸１が回転可能に貫通している。なお、ケーシングは必須ではない。
【００２２】
ロータ２は、回転軸１に固定され、回転軸心Ａを中心に回転可能な非磁性体から成るフレーム２ａと、フレーム２ａの回転軸心Ａの周りに配設され、軸方向端面に磁極面を有する複数の界磁部２ｂと、これら複数の界磁部２ｂをフレーム２ａに固定する押さえ部材２ｃ、２ｄとから構成されている。
【００２３】
界磁部２ｂは、第一ステータ３側からみて、圧粉コア２０、永久磁石２ｅの順に積層されて成る。圧粉コア２０は、永久磁石２ｅの減磁を防ぎ、磁石内部に発生する渦電流を低減する。押さえ部材２ｃは、上記ステータコア３ｂとの対向を避け、外周と内周に分割されたリング状の非磁性体金属から構成されている。一方、押さえ部材２ｄは、界磁部２ｂの全てを覆う磁性体の鋼板から構成されている。第二ステータ４側はトルクを発生しないため、界磁部２ｂからの磁束の一部を短絡しても問題はないからである。このアキシャルギャップ型回転電機１０の構成はあくまでも一例であり、第二ステータにもコイルを有していても良く、ステータが一つでその両側にロータがあってもよい。また、ロータの押さえ部材の構成についても、任意に選択可能である。
【００２４】
以下、図１〜図４を参照しながら、本実施形態のアキシャルギャップ型回転電機用ロータの圧粉コア２０について説明する。
【００２５】
圧粉コア２０は、図１に示すように、直角台形の磁極面１２０を有するコア片１２と、直角台形の磁極面１３０を有するコア片１３とを、円周方向の幅Ｗが回転軸側（Ｗ１）よりも外周側（Ｗ２）で大きくなるように並べて構成されている。
【００２６】
これら二つのコア片１２、１３は、矩形の磁極面を有する圧粉ブロックを斜めに二等分して形成されている。即ち、図２に示すように、公知の圧粉成形法により、矩形の磁極面１１０を有し、この磁極面１１０に対し垂直な方向にプレス（Ｐ）して成形された直方体形状の圧粉ブロック１１を形成し、得られた圧粉ブロック１１を、図３（ａ）に示すように、磁極面１１０と直交し、かつ、磁極面１１０の一の側辺１１１と角度θ１で斜交する分割面Ｄ１で二等分することによって、図３（ｂ）に示すように、二つの同形状のコア片１２、１３が形成されている。本実施形態では、圧粉ブロック１１の矩形の磁極面１１０の計四つの側辺のうち、プレス加圧面に位置する一対の側辺１１１を分割するようにしている。また、ロータの周方向に配置したコア数（磁極数）をｎとし、圧粉コアの形状が全て等しいとすれば、θ１＝９０°−１８０°／ｎである。
【００２７】
このコア片１２の分割面である傾斜側面部１２１と、コア片１３の分割面である傾斜側面部１３１とを磁極中心側に向けて互いに対向させ、円周方向の幅が回転軸側よりも外周側で大きくなるように組み合わせて並べることにより、本実施形態の圧粉コア２０が構成されている。この圧粉コア２０を複数準備し、図４に示すように、フレーム２ａに形成された複数の扇形の保持空間２ｆ内にそれぞれ、永久磁石２ｅと共に配置し、押さえ部材２ｃ、２ｄで固定することによって、アキシャルギャップ型回転電機用のロータ２が構成される。
【００２８】
なお、コア片１２、１３同士の固定は、例えば、接着剤、樹脂モールド、或いはこれらを併用して行うことができる。また、永久磁石２ｅと合わせて樹脂モールドしてもよく、永久磁石２ｅと合わせてアルミダイカストしてフレーム２ａと一体成形してもよい。さらに、フレーム２ａの保持空間２ｆ内に嵌め込んで固定してもよい。
【００２９】
このように本実施形態の圧粉コア２０は、矩形の磁極面に垂直な方向からプレス成形された圧粉ブロック１１をその磁極面１１０で斜めに分割して得た二つのコア片１２、１３を組み合わせて構成されているので、図１に示すように、圧粉コア２０のコア片１２、１３のプレス圧縮方向Ｃを、前記ロータ２の略径方向に沿わせることができる。したがって、符号Ｇで模式的に示すように、プレス圧力により潰れた軟磁性粉等の構成粒子の長手方向が、圧粉コア２０の軸方向および周方向に沿うことになり、これら軸方向および周方向の磁気特性に優れた圧粉コアを提供することができる。
【００３０】
以上、本実施形態のアキシャルギャップ型回転電機用ロータの圧粉コアについて説明したが、本発明はその他の形態でも実施することができる。
【００３１】
例えば、図６に示す圧粉コア２０Ａのように実施してもよい。圧粉コア２０Ａは、各コア片２２、２３のプレス圧縮方向Ｃが円周方向に沿っている点に特徴がある。
【００３２】
圧粉コア２０Ａは、図６に示すように、直角台形の磁極面２２０を有するコア片２２と、直角台形の磁極面２３０を有するコア片２３とを、円周方向の幅Ｗが回転軸側（Ｗ３）よりも外周側（Ｗ４）で大きくなるように並べて構成されている。これら二つのコア片２２、２３は、図７に示すように、公知の圧粉成形法により、矩形の磁極面２１０を有し、この磁極面２１０に対し垂直な方向にプレス（Ｐ）して成形された直方体形状の圧粉ブロック２１を、図８（ａ）に示すように、磁極面２１０と直交し、かつ、磁極面２１０の他の側辺２１２と角度θ２で斜交する分割面Ｄ２で二等分することにより形成されている。このコア片２２の分割面である傾斜側面部２２１と、コア片２３の分割面である傾斜側面部２３１とを互いに対向させ、円周方向の幅が回転軸側よりも外周側で大きくなるように組み合わせて並べることにより、本実施形態の圧粉コア２０Ａが構成されている。
【００３３】
上記実施形態では、図３に示すように圧粉ブロック１１の矩形の磁極面１１０の計四つの側辺のうちプレス加圧面に位置する一の側辺１１１を分割しているのに対し、この変形例では、図８に示すように、圧粉ブロック２１の矩形の磁極面２１０の計四つの側辺のうち、プレス加圧面と直交する面に位置する他の側辺２１２を分割するようにしている。このことで、圧粉コア２０Ａのコア片２２、２３のプレス圧縮方向Ｃを円周方向に沿わせることができる。この圧粉コア２０Ａにおいても、図６中の符号Ｇで模式的に示すように、プレス圧力によって潰れた軟磁性粉等の構成粒子の長手方向が、圧粉コア２０Ａの軸方向に沿うことになるので、軸方向の磁気特性に優れた圧粉コアを提供することができる。
【００３４】
また、図９に示す圧粉コア２０Ｂのように実施してもよい。圧粉コア２０Ｂは、直角台形の磁極面を有する二つのコア片３２、３３と、これら二つのコア片３２、３３の間に配される矩形の磁極面を有する一つの内側コア片３４とを、周方向の幅が内周側より外周側で大きくなるように並べて構成されている。
【００３５】
直角台形の磁極面を有するコア片３２、３３は、図９（ｂ）に示すように、矩形の磁極面３１０を有し、この磁極面３１０に対し垂直な方向にプレス成形された直方体形状の圧粉ブロック３１を、磁極面３１０と直交し、かつ、磁極面３１０の一の側辺３１１と角度θ３で斜交する分割面Ｄ３で二等分することによって形成されている。また、矩形の磁極面を有する内側コア片３４は、矩形の磁極面３４０を有し、この磁極面３４０に対し垂直な方向にプレス成形された直方体形状の圧粉ブロックから構成されている。図中、符号Ｃは各コア片のプレス圧縮方向を示している。この実施変形例では、コア片３２、３３の各磁極面における対向辺の長さと、内側コア片３４の磁極面における対向辺の長さを同じにしているので、圧粉コア２０Ｂの磁極面をより扇形に近づけることができる。
【００３６】
また、図１０に示す圧粉コア２０Ｃのように実施してもよい。圧粉コア２０Ｃは、直角三角形の磁極面を有する二つのコア片４２、４３と、これら二つのコア片４２、４３の間に配される矩形の磁極面を有する一つの内側コア片４４とを、周方向の幅が内周側より外周側で大きくなるように並べて構成されている。
【００３７】
直角三角形の磁極面を有するコア片４２、４３は、図１０（ｂ）に示すように、矩形の磁極面４１０を有し、この磁極面４１０に対し垂直な方向にプレス成形された直方体形状の圧粉ブロック４１を、磁極面４１０と直交し、かつ、磁極面４１０の一の側辺４１１と角度θ４で斜交する分割面Ｄ４で二等分することによって形成されている。また、矩形の磁極面を有する内側コア片４４は、矩形の磁極面４４０を有し、この磁極面４４０に対し垂直な方向にプレス成形された直方体形状の圧粉ブロックから構成されている。図中、符号Ｃは各コア片のプレス圧縮方向を示している。この実施変形例においても、コア片４２、４３の各磁極面における対向辺の長さと内側コア片４４の磁極面における対向辺の長さとを同じにしているので、圧粉コア２０Ｃの磁極面をより扇形に近づけることができる。
【００３８】
また、図１１に示すロータコア２０Ｄのように実施してもよい。圧粉コア２０Ｄは、直角台形の磁極面を有する二つのコア片５２、５３と、これら二つのコア片５２、５３の間に配される等脚台形の磁極面を有する一つの内側コア片５４とを、周方向の幅が内周側より外周側で大きくなるように並べて構成されている。
【００３９】
直角台形の磁極面を有するコア片５２、５３および等脚台形の磁極面を有する内側コア片５４は、図１１（ｂ）に示すように、矩形の磁極面５１０を有し、この磁極面５１０に対し垂直な方向にプレス成形された直方体形状の圧粉ブロック５１を、磁極面５１０と直交し、かつ、磁極面５１０の一の側辺５１１と角度θ５で斜交する二つの分割面Ｄ５で三分割することによって形成されている。図中、符号Ｃは各コア片のプレス圧縮方向を示している。また、ロータの周方向に配置したコア数（磁極数）をｎとし、圧粉コアの形状が全て等しいとすれば、θ５＝９０°−９０°／ｎである。
【００４０】
この実施変形例において、直角台形の磁極面を有する二つのコア片５２、５３の代わりに、直角三角形の磁極面を有する二つのコア片を用いてもよい。また、等脚台形の磁極面を有する内側コア片５４の代わりに、二等辺三角形の磁極面を有する内側コア片を用いてもよい。これら直角三角形の磁極面を有するコア片、及び二等辺三角形の磁極面を有する内側コア片についても、矩形の磁極面に対し垂直な方向にプレス成形された圧粉ブロック斜めに三分割して形成することができる。
【００４１】
また、図１２に示すロータコア２０Ｅのように実施してもよい。圧粉コア２０Ｅは、直角台形の磁極面を有する二つのコア片６２、６３と、これら二つのコア片６２、６３の間に配される、直角台形の磁極面を有する二つの内側コア片７２、７３とを、周方向の幅が内周側より外周側で大きくなるように並べて構成されている。
【００４２】
直角台形の磁極面を有するコア片６２、６３は、図１２（ｂ）に示すように、矩形の磁極面６１０を有し、この磁極面６１０に対し垂直な方向にプレス成形された直方体形状の圧粉ブロック６１を、磁極面６１０と直交し、かつ、磁極面６１０の一の側辺６１１と角度θ６で斜交する分割面Ｄ６で二等分することにより形成されている。また、直角台形の磁極面を有する内側コア片７２、７３は、矩形の磁極面７１０を有し、この磁極面７１０に対し垂直な方向にプレス成形された直方体形状の圧粉ブロック７１を、磁極面７１０と直交し、かつ、磁極面７１０の一の側辺７１１と角度θ７で斜交する分割面Ｄ７で二等分することによって形成されている。図中、符号Ｃは各コア片のプレス圧縮方向を示している。また、ロータの周方向に配置したコア数（磁極数）をｎとし、圧粉コアの形状が全て等しいとすれば、θ６＋θ７＝１８０°−１８０°／ｎである。
【００４３】
この実施変形例において、直角台形の磁極面を有する二つのコア片６２、６３の代わりに、直角三角形の磁極面を有する二つのコア片を用いてもよい。また、直角台形の磁極面を有する二つの内側コア片７２、７３の代わりに、直角三角形の磁極面を有する二つの内側コア片を用いてもよい。これら直角三角形の磁極面を有するコア片、及び直角三角形の磁極面を有する内側コア片についても、矩形の磁極面に対し垂直な方向にプレス成形された圧粉ブロックを斜めに二等分して形成することができる。
【００４４】
また、上記実施形態では、一の圧粉ブロック１１を分割して得た二つのコア片１２、１３を組み合わせて圧粉コア２０を構成したが、本発明はこれに限定されるものではなく、例えば、一の圧粉ブロックを分割して得た一つのコア片と、他の圧粉ブロックを分割して得た一つのコア片とを組み合わせて圧粉コアを構成してもよい。
【００４５】
この場合、組み合わせる複数のコア片のうち、ロータ回転方向前進側のコア片の構成粒子が、回転方向後進側のコア片の構成粒子よりも大きいことが好ましい。このことで、回転方向前進側のコア片における磁束密度をより高めることができ、回転電機の効率を向上させることができる。
【００４６】
また、本発明はその趣旨を逸脱しない範囲内で、当業者の知識に基づいて種々の改良、修正、変形を加えた態様で実施し得る。同一の作用又は効果が生じる範囲内でいずれかの発明特定事項を他の技術に置換した形態で実施しても良く、また、一体に構成されている発明特定事項を複数の部材から構成したり、複数の部材から構成されている発明特定事項を一体に構成した形態で実施しても良い。
【符号の説明】
【００４７】
１０：アキシャルギャップ型回転電機
１：回転軸
２：ロータ
２ｅ：永久磁石
３、４：ステータ
２０、２０Ａ〜３０Ｅ：圧粉コア
１１、２１、３１、４１、５１、６１、７１：圧粉ブロック
１１０、２１０、３１０、４１０、５１０、６１０、７１０：磁極面
１１１、２１２、３１１、４１１、５１１、６１１、７１１：磁極面の側辺
１２、１３、２２、２３、３２、３３、４２、４３、５２、５３、６２、６３、７２、７３：コア片
１２０、１３０、２２０、２３０：磁極面
１２１、１３１、２２１、２３１：傾斜側面部
３４、４４、５４：内側コア片
Ｃ：プレス圧縮方向
Ｄ１〜Ｄ７：分割面
【図１】
2011066977.tif 000003
【図２】
2011066977.tif 000004
【図３】
2011066977.tif 000005
【図４】
2011066977.tif 000006
【図５】
2011066977.tif 000007
【図６】
2011066977.tif 000008
【図７】
2011066977.tif 000009
【図８】
2011066977.tif 000010
【図９】
2011066977.tif 000011
【図１０】
2011066977.tif 000012
【図１１】
2011066977.tif 000013
【図１２】
2011066977.tif 000014
【図１３】
2011066977.tif 000015